(57)【要約】      （修正有）【課題】重く大きな中大型犬等の、寝たきり状態等の老犬、幼年、病気、怪我等のペットの、寝床やシーツの取替え、床擦れ防止のための寝床上での移動、及び、ペットの置き場所の移動や病院等への持運び等のペット自体の移動、運搬等に便利なペットの寝床を提供する。【解決手段】寝床１の片面に、紐２の端部を寝床１の側辺から片輪状に突出してループ把手３を形成した状態で、また、該ループ状の紐２を２本以上用いる場合は相互に平行若しくは交叉した状態で、縫着４等で一体的に若しくはマジックテープ（登録商標）等で着脱自在に取付けて設けたペット用寝床Ａであり、ペットの、寝床やシーツの取替え、寝床上での移動、及び、ペットの置き場所の移動や病院等への持運び等のペット自体の移動、運搬等に便ならしめた、ループ把手３を備えたペット用寝床Ａである。【選択図】図１
2007037419.tif 000002
【特許請求の範囲】
【請求項１】
厚手で弾力性のあるマット状の寝床乃至薄手のシーツ状の寝床等のペット用の寝床において、
該寝床の片面、主として裏面に、１本以上のループ状の紐を、該紐の端部を寝床の側辺から片輪状に突出してループ把手を形成した状態で、また、該ループ状の紐を２本以上用いる場合は相互に平行若しくは交叉した状態で、縫着等で一体的に取付け若しくはマジックテープ（登録商標）等で着脱自在に取付けて設けたペット用寝床であり、
該ペット用寝床のループ把手の１以上を個別若しくは２以上纏めて持ち、或いはループ把手にバンド、棒等を通し、リュック、担架等のようにするなどによって、特に、寝たきり状態等の老犬、幼年、病気、怪我等のペットの、寝床やシーツの取替え、床擦れ防止のための寝床上での移動、及び、ペットの置き場所の移動や病院等への持運び等のペット自体の移動、運搬等に便ならしめたことを特徴とする、
ループ把手を備えたペット用寝床。
【請求項２】
ペット用寝床の形状は方形、長方形、円形、楕円形、その他任意であり、その材料としてはナイロン・メッシュ地、防水・防水加工布地、低発泡ウレタン・クッション地、その他の布地、毛布状地、マット状地等が適合しており、
また、紐の形状は主としてテープ状、バンド状等の平らな紐が適合しており、その材料としてはナイロン・テープ、アクリル・テープ、その他任意である、
請求項１のループ把手を備えたペット用寝床。
【発明の詳細な説明】
【技術分野】
【０００１】
本発明は、ペット（主として犬、猫。以下、単にペットと記す。）の寝床として用いる、若しくは、寝床（ベットやカドラー等）に敷いて用いる、厚手で弾力性のあるマット状の寝床乃至薄手のシーツ状の寝床（以下、前記のものを纏めてペットの寝床と記す。）において、
該ペットの寝床の側辺にループ把手を縫着等で一体的に取付けるか若しくはマジックテープ（登録商標）等で着脱自在に取付けて設けたペット用寝床であり、
【０００２】
上記のループ把手の１以上を個別若しくは纏めて持ち、或いはループ把手に棒を通し担架のようにする等によって、特に、寝たきり状態等の老犬、幼年、病気、怪我等のペットの、寝床やシーツの取替えや床擦れ防止のための寝床上での移動、若しくは、場所変えや病院等へのペット自体の持ち運び等に便ならしめたことを特徴とする、ペット用寝床である。
【背景技術】
【０００３】
近時、主として一般家庭で飼育されているベット（主として犬、猫）の数が極めて多くなるに従って、当然、寝たきり老齢、幼年、病気、怪我等のペットの数も激増してきており、それらの養護、介護、療養等が人間同様に大きな問題になりつつある。
【０００４】
一方、従来、それらペットの寝床としては、犬小屋、ベットやカドラー等に比較的に厚手で弾力性のあるマット状のもの、毛布等を折り畳んだもの、若しくは通常のシーツ状のもの等を敷いて用いており、また、それに類したものが多く市販されている。
【０００５】
しかし乍、特に、人が抱いて動かすのも重くまた大きくて大変な中大型犬の場合の、寝たきり老齢、幼年、病気、怪我等のそれらペットの養護、介護、療養等のために、寝床やシーツの取替えや床擦れ防止のための寝床上での移動、若しくは、場所変えや病院等へのペット自体の持ち運び等が極めて大変であることが、日常的に問題になっているが、そのような場合に便利なペットの寝床が全く提供されていないという大きな課題があった。
【特許文献１】特開２０００−０４１７８７号公報
【発明の開示】
【発明が解決しようとする課題】
【０００６】
そこで、本発明は、特に、人が抱いて動かすのも重くまた大きくて大変な中大型犬の場合の、寝たきり老齢、幼年、病気、怪我等のそれらペットの養護、介護、療養等のために、寝床やシーツの取替えや床擦れ防止のための寝床上での移動、若しくは、場所変えや病院等へのペット自体の持ち運び等を行う場合に極めて便利なペットの寝床を開発提供することによって、上記従来の課題を解決したものである。
【課題を解決するための手段】
【０００７】
即ち、本発明は、厚手で弾力性のあるマット状の寝床乃至薄手のシーツ状の寝床等のペット用の寝床において、
該寝床の片面、主として裏面に、１本以上のループ状の紐を、該紐の端部を寝床の側辺から片輪状に突出してループ把手を形成した状態で、また、該ループ状の紐を２本以上用いる場合は相互に平行若しくは交叉した状態で、縫着等で一体的に取付け若しくはマジックテープ（登録商標）等で着脱自在に取付けて設けたペット用寝床であり、
【０００８】
該ペット用寝床のループ把手の１以上を個別若しくは２以上纏めて持ち、或いはループ把手にバンド、棒等を通し、リュック、担架等のようにするなどによって、特に、寝たきり状態等の老犬、幼年、病気、怪我等のペットの、寝床やシーツの取替え、床擦れ防止のための寝床上での移動、及び、ペットの置き場所の移動や病院等への持運び等のペット自体の移動、運搬等に便ならしめたことを特徴とする、ループ把手を備えたペット用寝床によって課題を解決したものである。
【発明の効果】
【０００９】
ペット用寝床を、寝床の側辺にループ把手を縫着等で一体的に取付けるか若しくはマジックテープ（登録商標）等で着脱自在に取付けて設けたため、
【００１０】
上記のループ把手の１以上を個別若しくは纏めて持ち、或いはループ把手にバンド、棒等を通し、リュック、担架等のようにするなどによって、特に、寝たきり状態等の老犬、幼年、病気、怪我等のペットの、寝床やシーツの取替えや床擦れ防止のための寝床上での移動、若しくは、場所変えや病院等へのペット自体の持ち運び等に便利な多大の効果がある。
【００１１】
例えば、ループ把手の１以上を纏めて持つことによって、キャリーバックの代わりに、ペットをくるみ包むようにして、安全に優しく持ち運びすることができる。
【００１２】
また、例えば、緊急時等には、ループ把手にハンド等を通してリュックのように背負って、または、ループ把手に棒等を通して、担架のようにして、特に、中大形犬のように大きく重いペットでも、容易に運搬できる優れた特徴がある。
【実施例１】
【００１３】
以下、図面により、本発明の実施例につき説明する。
図１は本発明実施例の平面図である。
【００１４】
厚手で弾力性のあるマット状の寝床乃至薄手のシーツ状の寝床等の、形状、材質等任意のペット用の寝床１において、
該寝床１の片面、主として裏面に、１本以上のループ状の紐２を、該紐２の端部を寝床１の側辺から片輪状に突出してループ把手３を形成した状態で、また、該ループ状の紐２を２本以上用いる場合は相互に平行若しくは交叉した状態で、縫着４等で一体的に取付け若しくはマジックテープ（登録商標）等で着脱自在に取付けて設けたペット用寝床Ａであり、
【００１５】
該ペット用寝床Ａのループ把手３の１以上を個別若しくは２以上纏めて持ち、或いはループ把手３にバンド、棒等を通し、リュック、担架等のようにするなどによって、特に、寝たきり状態等の老犬、幼年、病気、怪我等のペットの、寝床やシーツの取替え、床擦れ防止のための寝床上での移動、及び、ペットの置き場所の移動や病院等への持運び等のペット自体の移動、運搬等に便ならしめたことを特徴とする、ループ把手３を備えたペット用寝床Ａによって課題を解決したものである。
【００１６】
ペット用寝床Ａの形状は方形、長方形、円形、楕円形、その他任意であり、その材料としてはナイロン・メッシュ地、防水・防水加工布地、低発泡ウレタン・クッション地、その他の布地、毛布状地、マット状地等が適合しており、それらの厚薄は任意であり、
また、紐２の形状は主としてテープ状、バンド状等の平らな紐が適合しており、その材料としてはナイロン・テープ、アクリル・テープ、その他任意である。
【産業上の利用可能性】
【００１７】
寝床の側辺から片輪状に突出してループ把手を形成して設けたペット用寝床として、また、形状、厚薄、材質等に任意なペット用寝床として、極めて広い利用可能がある。
【図面の簡単な説明】
【００１８】
【図１】本発明実施例の平面図である。
【符号の説明】
【００１９】
Ａ  本発明実施例
１  ペットの寝床
２  紐
３  ループ把手
４  縫着
【図１】
2007037419.tif 000003